(57)【要約】      （修正有）【課題】吸水性素材の保水性を利用し、空冷ファン使用者に対し維持費無料で夏期の鑑賞魚飼育水の冷却効果を上げる。【解決手段】水槽上面に飼育水を通水した水路を設置し、さらに水路に吸水性素材を組み合わせ、吸水性素材から水槽水面に飼育水を落下させることを特徴として、空冷ファンにより気化熱作用で保水状態の吸水性素材の飼育水は冷却され水槽に戻ることで水槽の飼育水を気温高温時に飼育適温までに冷却して維持することが出来る。【選択図】図１
0003115237.tif 000002
【実用新案登録請求の範囲】
【請求項１】
吸水性のある素材を取り付けた通水した水路を特徴とした空冷ファン使用の観賞魚用水槽の冷却装置。
【請求項２】
前記吸水性のある素材は、水浄化装置ポンプから給水し通水した水路により飼育水で保水状態の形状とする。
【請求項３】
水槽水面上に設置するため、吸水性素材に保水された飼育水から常に飼育水が水槽に落下し、吸水性素材は観賞魚用水槽の冷却のために設置した空冷ファンの風を受け、保水状態時に気化熱による冷却を促進する形状とする。
【考案の詳細な説明】
【技術分野】
【０００１】  本考案は、観賞魚用水槽の飼育水を、吸水性素材の使用で気化熱により飼育水を冷却することに関する。
【背景技術】
【０００２】  従来、夏期に飼育水の温度を下げるための方法は、専用クーラーの設置または空冷ファンの設置、照明器具のリフトアップ、水槽設置室内全体を室内用クーラーで冷やすいずれかの方法である。【０００３】  専用クーラーはコストが高く、また排気熱により室温の上昇を及ぼす。空冷ファンは気化熱作用の面積が少なく冷却の限界がある。室内用クーラーの常時稼動は電気代などのコストが高くなるなどの欠点がある。【０００４】  なお、本願考案に関連する公知技術として次の特許文献１及び非特許文献１を挙げることが出来る。【０００５】
【特許文献１】  特開９−３１８１９２
【非特許文献１】  ｈｔｔｐ：￥￥ｃｒｓ．ｄｒｅａｍｙｇｒｅｅｎ．ｃｏｍ／ｑａ／ｑａ＿ｔｏｐ．ｈｔｍｌに載る夏期の飼育水熱対策。
【考案の開示】
【考案が解決しようとする課題】
【０００６】  上述の如く、空冷ファンの設置が最もコストが低く安易ではあるが、水槽の水面の面積に気化熱作用を促す面積が限られるため、冷却効果が一番劣るものとなっている。【０００７】  このため夏期に鑑賞魚育成適温まで飼育水温度を下げる事ができず、毎年莫大な水草及び生体を死亡させているのが現状である。【０００８】  本考案はこのような点に鑑みて成されたものであり、その目的は最も設置頻度の高い空冷ファン使用者に対し、現状使用の水浄化装置出水口から分岐通水することで気化熱による冷却面積を増すことにより冷却力を高め、目的の飼育水温に維持することが出来ることにある。
【課題を解決するための手段】
【０００９】  上述の目的を達成する本考案の冷却装置は、吸水性のある素材を取り付けた通水した水路を特徴とした空冷ファン使用の観賞魚用水槽の冷却装置。【００１０】  一例として、前記吸水性のある素材は、水浄化装置ポンプから給水し通水した飼育水で保水状態の形状とする。【００１１】  水槽水面上に設置するため、吸水性素材に保水された飼育水から常に飼育水が水槽に落下し、吸水性素材は観賞魚用水槽の冷却のために設置した空冷ファンの風を受け、保水状態時に気加熱による冷却を促進する形状とする。【００１２】  水路は入水口と出水口を持ち、吸水性素材の吸水能力以上に飼育水を出水口から水槽に飼育水を戻す形状とする。
【考案の効果】
【００１３】  以上の説明したように本考案は、鑑賞魚用水浄化装置の出水口から分岐した飼育水をこの装置の入水口から給水することにより水路に飼育水がたまり、吸水性素材が保水状態となり、保水状態時から飼育水が水槽に落下する間に空冷ファンによって気化熱作用で飼育水が冷却され、飼育水の循環を行うことで飼育水の冷却に極めて効果的であり、安価且つ容易に夏期におきる飼育水の温度上昇を防ぎ高温に弱い観賞魚及び水草の死亡防止に極めて有効である。
【考案を実施するための最良の形態】
【００１４】  以下本考案の実施の形態を図面に基づき詳細に説明する。【００１５】  図１〜図３は本考案の第一の実施形態に係り、図１は水槽に設置した外観斜視図、図２は装置の外観斜視図、図３は中央部の横断面図である。【００１６】  図１図２に示すように、本冷却装置は、通水した水路を有する構造体で、図３に示すように吸水性素材が、各水路に取り付けられ水路に給水された飼育水に常につかる状態となる。【００１７】  吸水性素材は水槽水面から離れた状態が冷却効果が高いが、水面と接触していても同様な効果が得られる。【００１８】  給水は鑑賞魚用水浄化装置の出水口から分岐する事により、水路に給水する。【００１９】  使用鑑賞魚用水浄化装置により給水できない場合は、観賞魚用専用の小型ポンプを別途使用する。【００２０】  一般観賞魚飼育者にとって、空冷ファンにこの冷却装置を増設するのみで冷却効果を高めることが出来るため、安全に使用できる。【００２１】  水温の下がりすぎを防ぐため、空冷ファンにサーモスタットをつけることにより冷却過剰の防止も行える。【００２２】  水路の素材、吸水性素材は飼育生体及び水浄化作用のあるバクテリア等に害を及ぼす成分が溶け出したり錆びないものを使用する。【００２３】  水路の入水口及び出水口の水量を調整することにより水路は常時飼育水で満たされ吸水性素材が常に水槽水面上で保水状態となり、空冷ファンにより冷却された飼育水が水槽に落下する。【００２４】  冷却装置の設置方法は、飼育者ごとの空冷ファンの風向及び水槽の大きさ、さらに飼育水の水面の高さ、使用水浄化装置の種類により大きさにより設置する高さを変更して取り付けられる。【００２５】  空冷ファンの取り付け方のより、水路の形状は最も効率のよい形状に変更し、気化熱による冷却を促進する。【００２６】  水路の幅を調整することにより、水槽水面上に取り付けられた照明の効果を防がないようにする。【００２７】  吸水性の素材の色を光の反射性の強い色にすることにより、水槽上面に取り付けられた照明の効果を落とさないようにする。【００２８】  吸水性素材の飼育水落下面の形状は、波状または鋸状にすることにより水滴となって落下しやすくなり長期使用の場合の吸水性素材を通り落下する飼育水のかたよりがなくなる。
【実施例】
【００２９】  家庭用６０センチ幅の観賞魚用水層において、Ｗ１ｃｍ×Ｈ１ｃｍ×Ｄ３５ｃｍの水路４本とし、各水路にＷ０．１ｃｍ×Ｈ５ｃｍ×Ｄ３０ｃｍの吸水性素材を２枚取り付けられ、合計８枚の吸水性素材が水路に取り付けられ設置することが出来る。【００３０】  以上本考案の実施の形態及び実施例を説明したが、図２で示したこの冷却装置のサイズは、平均的な家庭用水槽のＷ６０ｃｍ×Ｈ３５ｃｍ×Ｄ３０ｃｍ水槽の大きさにあわせてのサイズであるが、これに限定されるものではない、観賞魚用水層のサイズは多種にわたるため、本考案の冷却装置の水路長、本数、水路形状、吸水性素材の形状と枚数は冷却効果を高めるためにこれに限定されるものではない。【００３１】  さらに吸水性素材は図３のように毛細管現象によって吸水し水槽に飼育水が落下し循環する形態となっているが、毛細管現象を利用せず直接吸水性素材に給水する水路形状も可能である。【００３２】  吸水性素材は高吸水性能力を持ち毛細管現象が起こるものがよいが同様な保水能力を持つ素材でも使用できる。
【産業上の利用可能性】
【００３３】  本考案は観賞魚用水槽の上に設置するのみで飼育水を冷却できるため、鑑賞魚用用品を製造、販売する産業分野で利用することが出来る。
【図面の簡単な説明】
【図１】  本考案の第１の実施形態の水槽上面に設置した外観斜視図である。
【図２】  冷却装置の外観斜視図である。
【図３】  図２の中央部の横断面図である。
【符号の説明】
【１１】    水路
【１２】    吸水性素材
【１３】    空冷ファン
【１４】    入水口
【１５】    出水口
【図１】
0003115237.tif 000003
【図２】
0003115237.tif 000004
【図３】
0003115237.tif 000005
【手続補正書】
【提出日】平成17年7月13日(2005.7.13)
【手続補正１】
【補正対象書類名】実用新案登録請求の範囲
【補正対象項目名】全文
【補正方法】変更
【補正の内容】
【実用新案登録請求の範囲】
【請求項１】
はしご状に成型された水路であり、この水路には観賞魚用ろ過装置ポンプから水路に常に給水し、クロス状の吸水性素材の一辺を、この水路を流れる飼育水につかるように各水路両側に吊り下げられるかたちで取り付けられた、鑑賞魚用空冷ファン使用時の飼育水の冷却能力を高める観賞魚用水槽の冷却装置。
【請求項２】
前記吸水性のある素材は、鑑賞魚用ろ過装置ポンプからの給水により水路が飼育水で満たされる事で常に飼育水で保水状態となる事を特徴とする請求項１に記載された観賞魚用水槽の冷却装置。
【請求項３】
各水路は飼育水面と平行に水槽水面上に設置するため、吸水性素材から常に飼育水が重力で落下し、吸水性素材は観賞魚用水槽の冷却のために設置されている鑑賞魚用空冷ファンの風を受けると、保水状態時におきる気化熱作用で冷却された飼育水を循環させることを特徴とする、請求項１に記載された観賞魚用水槽の冷却装置。